(57)【特許請求の範囲】
【請求項１】
施設利用者が当該施設の利用状況に応じて料金の支払い操作をして利用料金を精算する精算機本体と、この精算機本体の周囲及び上面を覆って破壊、盗難の防護をすると共に前面側の前扉だけが開閉するプロテクタとを備え、上記精算機本体及びプロテクタを上面に載置して固定する取付ベースを介して設置面に設置する料金精算装置において、
上記取付ベースを上記精算機本体及びプロテクタに共通の単一部材で形成し、
上記取付ベースの上面の中央部に上記精算機本体を載置して固定すると共に、該取付ベースの上面の外周部に上記精算機本体の周囲を覆うようにプロテクタを載置して固定し、
上記取付ベースの上面中央部で精算機本体の下方部位には付属機器接続配管用の穴が穿設されると共に、該取付ベースの上面外周部で精算機本体とプロテクタとの間の隙間にて上記前扉に近い所に電気配線用の穴が穿設され、
上記精算機本体を取付ベース上にその前面側から押し込み固定する際の案内及び左右方向の位置決めをするガイド手段、及び奥行き方向の位置決めをするストッパ手段を備えた、
ことを特徴とする料金精算装置。
【請求項２】
上記ガイド手段は、上記取付ベースの上面の両側部又は上記プロテクタの内側面に設けたことを特徴とする請求項１記載の料金精算装置。
【請求項３】
上記ストッパ手段は、上記取付ベースの上面後部側又はプロテクタの内側面後部側に設けたことを特徴とする請求項１又は２記載の料金精算装置。
【発明の詳細な説明】
【０００１】
【発明の属する技術分野】
本発明は、例えば駐車料金精算機又は道路通行料精算機等の精算機に収納された料金の破壊、盗難の防護をするために精算機本体の周囲をプロテクタで覆った料金精算装置に関し、詳しくは、上記精算機本体及びプロテクタを設置面に設置するための取付ベースを該両者に共通の単一部材として設置を容易にする料金精算装置に係るものである。
【０００２】
【従来の技術】
従来のこの種の料金精算装置は、図５に示すように、駐車場等の施設の利用料金を精算する精算機本体（例えば従来公知の無人駐車料金精算機等）１と、破壊、盗難の防護をする金属製のプロテクタ２とを備え、上記精算機本体１の周囲及び上面をプロテクタ２で覆っていた。そして、料金精算装置の設置面３に取り付けられた鋼製の精算機ベース４の上面に精算機本体１が固定され、同じく設置面３に取り付けられた鋼製のプロテクタベース５の上面にプロテクタ２が固定されていた。なお、図５においては、精算機本体１の前面側を覆うプロテクタ２の前扉を開いた状態を示している。
【０００３】
この場合、上記料金精算装置を設置面３に設置するには、まず、平面視で例えば矩形状の精算機ベース４をアンカーボルト６，６でコンクリートの設置面３に固定し、平面視で例えばコ字形又はロ字形のプロテクタベース５をアンカーボルト７，７で同じく設置面３に固定する。その後、上記固定された精算機ベース４の上面に精算機本体１を載置して固定ボルト８，８で固定し、同じく上記固定されたプロテクタベース５の上面にプロテクタ２を上記精算機本体１を覆うように載置して固定ボルト９，９で固定していた。このとき、精算機本体１に対してプロテクタ２の相対位置がずれないようにする必要がある。すなわち、精算機本体１の前面側の料金支払操作部１０や釣銭受取部１１等の位置にプロテクタ２の前扉の開口部（図示省略）が一致するように調整作業を行う必要があった。
【０００４】
【発明が解決しようとする課題】
しかし、このような従来の料金精算装置においては、精算機ベース４とプロテクタベース５とが別個の部材とされ、それらを設置面３上に別々に固定し、それぞれのベースの上面に精算機本体１とプロテクタ２を固定していたので、設置面３上に設置した状態の精算機本体１とプロテクタ２との位置合わせが難しいものであった。すなわち、設置面３がコンクリートであるため正確には水平面になっておらず、この設置面３上に精算機ベース４とプロテクタベース５を介して固定された精算機本体１とプロテクタ２の水平、垂直方向の位置合わせを行うために、例えば精算機ベース４の上面と精算機本体１の下面との間、又はプロテクタベース５の上面とプロテクタ２の下面との間にスペーサを入れて傾きを調節しなければならず、容易には正確な位置合わせができないものであった。したがって、精算機本体１に対してプロテクタ２の相対位置がずれることがあり、精算機本体１の前面側の料金支払操作部１０や釣銭受取部１１等の位置にプロテクタ２の前扉の開口部（図示省略）が正確に一致しないことがあった。
【０００５】
また、精算機ベース４とプロテクタベース５とが別個の部材とされていたので、それらを設置面３上に別々に固定するのに、それぞれのベースを固定するための複数種類のアンカーボルト６，７が必要となり、該アンカーボルト６，７の本数が多くなると共に、予め設置面３に上記アンカーボルト６，７を植設する施工数が増えるものであった。したがって、設置面３の基礎工事の施工に時間が掛かり、料金精算装置の設置が容易とは言えないものであった。
【０００６】
さらに、上記精算機本体１とプロテクタ２との間の隙間に付属電装品を実装することがあるが、精算機ベース４に電気配線用の穴又は接続配管用の穴が無かったので、後から上記精算機ベース４に電気配線用の穴等を明けなければならず、施工に時間が掛かり、設置が容易とは言えないものであった。
【０００７】
そこで、本発明は、このような問題点に対処し、精算機本体及びプロテクタを設置面に設置するための取付ベースを該両者に共通の単一部材として設置を容易にする料金精算装置を提供することを目的とする。
【０００８】
【課題を解決するための手段】
上記目的を達成するために、本発明による料金精算装置は、施設利用者が当該施設の利用状況に応じて料金の支払い操作をして利用料金を精算する精算機本体と、この精算機本体の周囲及び上面を覆って破壊、盗難の防護をすると共に前面側の前扉だけが開閉するプロテクタとを備え、上記精算機本体及びプロテクタを上面に載置して固定する取付ベースを介して設置面に設置する料金精算装置において、上記取付ベースを上記精算機本体及びプロテクタに共通の単一部材で形成し、上記取付ベースの上面の中央部に上記精算機本体を載置して固定すると共に、該取付ベースの上面の外周部に上記精算機本体の周囲を覆うようにプロテクタを載置して固定し、上記取付ベースの上面中央部で精算機本体の下方部位には付属機器接続配管用の穴が穿設されると共に、該取付ベースの上面外周部で精算機本体とプロテクタとの間の隙間にて上記前扉に近い所に電気配線用の穴が穿設され、上記精算機本体を取付ベース上にその前面側から押し込み固定する際の案内及び左右方向の位置決めをするガイド手段、及び奥行き方向の位置決めをするストッパ手段を備えたものである。
【０００９】
このような構成により、精算機本体及びプロテクタに共通の単一部材で形成された取付ベースの上面の中央部に上記精算機本体を載置して固定すると共に、該取付ベースの上面の外周部に上記精算機本体の周囲を覆うようにプロテクタを載置して固定し、上記取付ベースの上面中央部で精算機本体の下方部位に穿設された付属機器接続配管用の穴を利用して所要の付属機器を接続し、該取付ベースの上面外周部で精算機本体とプロテクタとの間の隙間にて上記前扉に近い所に穿設された電気配線用の穴を利用して所要の電気配線を接続し、ガイド手段により、上記精算機本体を取付ベース上にその前面側から押し込み固定する際の案内及び左右方向の位置決めを行い、ストッパ手段により、奥行き方向の位置決めをする。これにより、料金精算装置の設置を容易にする。
【００１０】
また、上記ガイド手段は、上記取付ベースの上面の両側部又は上記プロテクタの内側面に設けたものである。これにより、精算機本体を取付ベース上にその前面側から押し込み固定する際の左右方向の案内及び位置決めをする。
【００１２】
さらに、上記ストッパ手段は、上記取付ベースの上面後部側又はプロテクタの内側面後部側に設けたものである。これにより、精算機本体を取付ベース上にその前面側から押し込み固定する際の奥行き方向の位置決めをする。
【００１５】
【発明の実施の形態】
以下、本発明の実施の形態を添付図面に基づいて詳細に説明する。
図１は本発明による料金精算装置の実施の形態を示す正面図であり、図２はこの実施形態における料金精算装置の前扉を開いた状態を示す正面図である。この料金精算装置は、例えば駐車料金精算機又は道路通行料精算機等の精算機に収納された料金の破壊、盗難の防護をするために精算機本体の周囲をプロテクタで覆ったもので、精算機本体１と、プロテクタ２と、取付ベース１５と、ガイド手段と、ストッパ手段とを備えている。
【００１６】
上記精算機本体１は、例えば有料駐車場において施設利用者が当該施設の利用状況に応じて料金の支払い操作をして利用料金を精算するもので、図５に示すと同様に従来公知の無人駐車料金精算機等から成る。
【００１７】
上記精算機本体１の周囲は、プロテクタ２で覆われている。このプロテクタ２は、上記精算機本体１の周囲及び上面を覆って破壊、盗難の防護をするもので、精算機本体１の左右両側面及び後面を縦長の金属製板材で覆い、上記精算機本体１の上面を矩形状の金属製板材で覆い、かつ上記精算機本体１の前面側を金属製の前扉１６で覆っている。なお、図１において、符号１７は精算機本体１の前面側に設けられた料金支払操作部１０の位置に対応して上記前扉１６に形成された操作部用開口部を示し、符号１８は同じく精算機本体１の前面側に設けられた釣銭受取部１１の位置に対応して上記前扉１６に形成された釣銭用開口部を示している。
【００１８】
上記精算機本体１及びプロテクタ２は、取付ベース１５の上面に固定されている。この取付ベース１５は、上記精算機本体１及びプロテクタ２を設置面３に設置するための基部材となるもので、本発明においては、精算機本体１及びプロテクタ２を上面に載置して固定する単一部材で形成されている。すなわち、図３に示すように、その上面に精算機本体１及びプロテクタ２を載置する共通の単一部材として平面視で矩形状の箱状部材に形成され、鋼部材で製造されている。この場合、図３（ａ）に２点鎖線で示すように、取付ベース１５の中央部に精算機本体１が載置固定され、取付ベース１５の外周部にプロテクタ２が載置固定されるようになっている。
【００１９】
上記取付ベース１５の上面の両側部には、図３（ａ）に示すように、ガイド片１９，１９が設けられている。このガイド片１９は、上記精算機本体１を取付ベース１５上に該取付ベース１５の前面側から押し込み固定する際の案内及び位置決めをするガイド手段となるもので、同図（ｂ）に示すように、例えば断面Ｌ字形で所定の長さを有する板材に形成されその立上り片を互いに内側に向けて立設され、同図（ａ）に示すように、上記立上り片の内側面に沿わせて精算機本体１を奥行き方向に案内すると共に左右方向の位置決めをするようになっている。
【００２０】
また、上記取付ベース１５の上面後部側には、図３（ａ）に示すように、ストッパ片２０が設けられている。このストッパ片２０は、上記精算機本体１を取付ベース１５上に該取付ベース１５の前面側から押し込み固定する際の奥行き方向の位置決めをするストッパ手段となるもので、同図（ｃ）に示すように、例えば断面Ｌ字形で所定の長さを有する板材に形成されその立上り片を前面側に向けて立設され、同図（ａ）に示すように、上記立上り片の内側面に精算機本体１の後面部が突き当たることにより該精算機本体１の奥行き方向の位置決めをするようになっている。
【００２１】
さらに、上記取付ベース１５には、図３（ｂ）に示すように、下面にアンカーボルト固定用孔２１が穿設され、上部側には固定ボルト締付ナット２２ａ，２２ｂが設けられている。上記アンカーボルト固定用孔２１は、図２に示す設置面３に対して取付ベース１５を固定する手段としてのアンカーボルト２３の頭部と係合するもので、上記取付ベース１５の下面の四隅部又はそれ以上の箇所に設けられている。上記固定ボルト締付ナット２２ａは、図２に示す取付ベース１５にプロテクタ２を固定する手段としての固定ボルト２４のネジ部と螺合するもので、上記取付ベース１５の上部側の四隅部又はそれ以上の箇所に、溶接又は圧入等により取り付けられている。また、他の固定ボルト締付ナット２２ｂは、図２に示す取付ベース１５に精算機本体１を固定する手段としての他の固定ボルト２５のネジ部と螺合するもので、上記取付ベース１５の上部側にて精算機本体１が載置される四隅部又はそれ以上の箇所に、溶接又は圧入等により取り付けられている。
【００２２】
なお、図３（ａ）において、符号２２ａ′は、上記取付ベース１５の上面に明けられ図２に示す固定ボルト２４の軸部が挿通される孔を示しており、上記固定ボルト締付ナット２２ａの位置と一致している。また、符号２２ｂ′は、上記取付ベース１５の上面に明けられ図２に示す他の固定ボルト２５の軸部が挿通される孔を示しており、上記固定ボルト締付ナット２２ｂの位置と一致している。
【００２３】
さらにまた、上記取付ベース１５の上面には、図３（ａ）に示すように、電気配線用の穴２６及び付属機器接続配管用の穴２７が穿設されている。上記電気配線用の穴２６は、図２に示す精算機本体１とプロテクタ２との間の隙間、及び該プロテクタ２自体に所要の電装品を実装するときに、その配線を取付ベース１５内から引き出して上記電装品に接続するためのものである。また、上記付属機器接続配管用の穴２７は、図２に示す取付ベース１５上に精算機本体１を設置するときの電気配管を通したり、例えば上記精算機本体１を必要に応じて昇降させる付属機器を動作するための電気、油圧、空圧配管等を通すためのものである。
【００２４】
なお、図３（ｂ），（ｃ）において符号２８は、取付ベース１５の内部にて上面板と下面板との間に設けられた補強リブを示している。この補強リブ２８は、精算機本体１及びプロテクタ２の重量に応じて適宜の枚数を設ければよいし、取付ベース１５の材質、強度が充分な場合は設けなくてもよい。
【００２５】
次に、このように構成された料金精算装置の組み立て、設置について説明する。まず、図２において、設置面３上に取付ベース１５を固定する。このとき、上記設置面３に植え付けられたアンカーボルト２３に、図３（ｂ）に示す取付ベース１５の下面のアンカーボルト固定用孔２１を位置合わせしてナットを締め付け、取付ベース１５を固定する。これにより、精算機本体１及びプロテクタ２に共通の単一部材から成る取付ベース１５が設置面３上に一度に取り付けられる。
【００２６】
次に、図２において、上記固定された取付ベース１５の上面にプロテクタ２を固定する。このとき、プロテクタ２の下面に穿設された取付け孔（図示省略）を図３（ａ）に示す取付ベース１５の上面四隅部のボルト挿通孔２２ａ′に位置合わせし、これらに図２に示す四方の固定ボルト２４の軸部を挿通し、図３（ｂ）に示す四隅部の固定ボルト締付ナット２２ａに螺入して締め付け、プロテクタ２を取付ベース１５の上面に固定する。このとき、プロテクタ２の前扉１６は、まだ取り付けなくてもよい。
【００２７】
次に、図２において、取付ベース１５の上面に固定されたプロテクタ２の前面側に精算機本体１を運搬し、該プロテクタ２の前面側から上記取付ベース１５の上面に精算機本体１の下部後端を載置し押し込んで挿入し、固定する。このとき、図３（ａ）に示す取付ベース１５の上面の両側部に設けられたガイド片１９，１９の間に上記精算機本体１を位置させて後方へ押し込むことにより、上記ガイド片１９，１９の案内及び位置決めによりスムーズに挿入され、上面後部側のストッパ片２０により奥行き方向の位置決めがされる。これにより、精算機本体１の下面に穿設された取付け孔（図示省略）が図３（ａ）に示す取付ベース１５の上面の内側４個のボルト挿通孔２２ｂ′に正しく位置合わせされ、これらに図２に示す内側四方の固定ボルト２５の軸部を挿通し、図３（ｂ）に示す内側４個の固定ボルト締付ナット２２ｂに螺入して締め付け、精算機本体１を取付ベース１５の上面に固定する。この状態で、取付ベース１５に穿設された電気配線用の穴２６及び付属機器接続配管用の穴２７を利用して、所要の電気配線及び付属機器を接続する。
【００２８】
次に、図１に示すように、プロテクタ２の前面側に前扉１６を開閉可能に取り付ける。このとき、精算機本体１の前面側に設けられた料金支払操作部１０の位置に対して上記前扉１６に形成された操作部用開口部１７が合致し、同じく精算機本体１の前面側に設けられた釣銭受取部１１の位置に対して上記前扉１６に形成された釣銭用開口部１８が合致される。このようにして、共通の単一部材から成る取付ベース１５の上面に、精算機本体１及びプロテクタ２が特別な調整作業を行うことなく位置合わせされ、容易に設置される。また、以上の説明では、上記前扉１６を設置時に後から取り付けるものとしたが、これに限られず、予めプロテクタ２に前扉１６を取り付けて設置場所に搬入し、該前扉１６を開状態としたプロテクタ２を上記取付ベース１５上に固定した状態で、精算機本体１を上記と同様に取り付けることも可能である。この場合は、更に設置に要する時間が短縮される。
【００２９】
図４は、上記取付ベース１５の他の実施例を示す説明図である。この実施例では、精算機本体１を取付ベース１５上に固定する際の案内及び位置決めをするガイド手段として、上記取付ベース１５の上面の両側部に１本又は複数本の円柱部材２９を設け、また、精算機本体１を取付ベース１５上に固定する際の奥行き方向の位置決めをするストッパ手段として、上記取付ベース１５の上面後部側に１本又は複数本の円柱部材３０を設けたものである。なお、上記円柱部材２９，３０に代えて、その外周部分が回転するローラを設けてもよい。
【００３０】
なお、以上の説明では、精算機本体１のガイド手段としてのガイド片１９又は円柱部材２９を取付ベース１５の上面に設けたものとしたが、本発明はこれに限られず、上記プロテクタ２の内側面にガイド手段を設けてもよい。また、精算機本体１のストッパ手段としてのストッパ片２０又は円柱部材３０を取付ベース１５の上面に設けたものとしたが、上記プロテクタ２の内側面にストッパ手段を設けてもよい。
【００３１】
【発明の効果】
本発明は以上のように構成されたので、請求項１に係る発明によれば、精算機本体及びプロテクタに共通の単一部材で形成された取付ベースの上面の中央部に上記精算機本体を載置して固定すると共に、該取付ベースの上面の外周部に上記精算機本体の周囲を覆うようにプロテクタを載置して固定し、上記取付ベースの上面中央部で精算機本体の下方部位に穿設された付属機器接続配管用の穴を利用して所要の付属機器を接続し、該取付ベースの上面外周部で精算機本体とプロテクタとの間の隙間にて上記前扉に近い所に穿設された電気配線用の穴を利用して所要の電気配線を接続し、ガイド手段により、上記精算機本体を取付ベース上にその前面側から押し込み固定する際の案内及び左右方向の位置決めを行い、ストッパ手段により、奥行き方向の位置決めをすることができる。この場合、上記取付ベースは単一部材で形成されているので、該取付ベースの同一平面上の中央部に載置固定される精算機本体と外周部に載置固定されるプロテクタの取付基準面がずれることなく、また、特別な調整作業を行うことなしに、該両者を容易に位置合わせすることができる。したがって、料金精算装置の設置を容易とすることができる。また、上記取付ベースは共通の単一部材で形成されているので、該取付ベースを設置面上に固定するためのアンカーボルトの種類、本数が少なくてよく、予め設置面にアンカーボルトを植設する施工数を少なくすることができる。したがって、設置面の基礎工事の施工数及び時間が少なく、料金精算装置の設置が容易となる。
【００３２】
また、請求項２に係る発明によれば、上記ガイド手段は、上記取付ベースの上面の両側部又は上記プロテクタの内側面に設けたことにより、重量物である精算機本体を取付ベース上にその前面側から押し込み固定する際の案内及び左右方向の位置決めを容易に行うことができる。
【００３４】
さらに、請求項３に係る発明によれば、上記ストッパ手段は、上記取付ベースの上面後部側又はプロテクタの内側面後部側に設けたことにより、重量物である精算機本体を取付ベース上にその前面側から押し込み固定する際の奥行き方向の位置決めを容易に行うことができる。
【図面の簡単な説明】
【図１】  本発明による料金精算装置の実施の形態を示す正面図である。
【図２】  上記の実施形態における料金精算装置の前扉を開いた状態を示す正面図である。
【図３】  上記の実施形態における取付ベースを示す説明図であり、（ａ）は平面図を示し、（ｂ）は横断面図を示し、（ｃ）は左側断面図を示している。
【図４】  上記取付ベースの他の実施例を示す説明図であり、（ａ）は平面図を示し、（ｂ）は横断面図を示している。
【図５】  従来の料金精算装置について、その前扉を開いた状態を示す正面図である。
【符号の説明】
１…精算機本体
２…プロテクタ
３…設置面
１０…料金支払操作部
１１…釣銭受取部
１５…取付ベース
１６…前扉
１７…操作部用開口部
１８…釣銭用開口部
１９…ガイド片
２０…ストッパ片
２１…アンカーボルト固定用孔
２２ａ，２２ｂ…固定ボルト締付ナット
２２ａ′，２２ｂ′…ボルト挿通孔
２３…アンカーボルト
２４，２５…固定ボルト
２６…電気配線用の穴
２７…付属機器接続配管用の穴
２９…ガイド手段としての円柱部材
３０…ストッパ手段としての円柱部材
【図１】
0004794088.tif 000002
【図２】
0004794088.tif 000003
【図３】
0004794088.tif 000004
【図４】
0004794088.tif 000005
【図５】
0004794088.tif 000006